(57)【要約】【課題】竪配管更新工事に伴う各住戸の建築設備の使用制限期間を短縮するとともに、竪配管更新のために使用される将来的利用スペースを有効利用し、建築物の利用効率を向上する。【解決手段】壁体(15)は、収納スペース(16)を区画するとともに、集合住宅の共用部に少なくとも部分的に面するように配置される。収納スペースは、共用竪管(1)を配管した竪配管区画(11)に隣接して配置される。取外し可能な床構造体(18)の下側領域は、配管ピット(5)の延設部分又は横断部分を構成する。各階の収納スペースは、実質的に同一の平面位置に配置される。収納スペースは、共用竪管を新設可能な竪配管区画を床構造体の撤去によって形成し、床構造体の下側領域は、既存の共用竪管に接続した排水横引管(3)を新設の共用竪管(1')に対して接続するための空間を形成する。【選択図】図１１
2008008018.tif 000002
【特許請求の範囲】
【請求項１】
床下隠蔽型の配管ピットを備えた集合住宅の住戸近傍に収納スペースを形成する収納庫構造において、
前記収納スペースを区画するとともに、集合住宅の共用部に少なくとも部分的に面するように配置された壁体と、前記収納スペースの床を形成する取外し可能又は撤去可能な床構造体とを有し、前記収納スペースは、建築設備配管の共用竪管を配管した竪配管区画に隣接して配置され、前記床構造体の下側領域は、前記配管ピットの延設部分又は横断部分を構成し、各階の前記収納スペースは、実質的に同一の平面位置に配置され、
前記床構造体を取外し又は撤去することにより、前記共用竪管を新設可能な竪配管区画が前記収納スペースによって形成されるとともに、既存の共用竪管に接続した排水横引管を新設の共用竪管に対して接続するための空間が前記床構造体の下側領域によって形成されるようにしたことを特徴とする集合住宅の収納庫構造。
【請求項２】
前記竪配管区画及び収納スペースは、住戸の共用廊下側の外壁を部分的に住戸側に変形してなるアルコープ部分に配置され、前記配管ピットは、前記アルコープ部分において前記住戸の外壁から前記共用廊下に向かって延び、前記収納庫及び前記竪配管区画は、前記配管ピットの方向に直列又は並列に配置されることを特徴とする請求項１に記載の収納庫構造。
【請求項３】
前記配管ピットは、複数の住戸から前記竪配管区画に延び、隔壁によって仕切られた複数の収納スペースが、前記配管ピットの方向に直列又は並列に配置されることを特徴とする請求項１又は２に記載の収納庫構造。
【請求項４】
各住戸の建築設備機器の排水口に接続された建築設備配管の排水横引管を収容する配管ピットを形成するとともに、前記横引管を接続すべき共用竪管を配管した竪配管区画に連続する集合住宅の床下隠蔽型配管ピット構造において、
各住戸の近傍に配置された収納庫が、各階において実質的に同一の平面位置に配置され、
前記配管ピットは、前記収納庫の下側に延設され又は該収納庫の下側を横断し、前記収納庫は、前記配管ピットを該収納庫内の空間から隠蔽する取外し可能又は撤去可能な床構造体を有し、
共用竪管を新設可能な竪配管区画が、前記床構造体の取外し又は撤去により、前記収納庫によって形成され、既存の竪配管に接続された横引配管を新設の共用竪管に対して接続するための空間が、前記床構造体の下側の配管ピット部分によって形成されることを特徴とする集合住宅の配管ピット構造。
【請求項５】
前記竪配管区画及び収納庫は、住戸の共用廊下側の外壁を部分的に住戸側に変形してなるアルコープ部分に配置され、前記配管ピットは、前記アルコープ部分において前記住戸の外壁から前記共用廊下に向かって延び、前記収納庫及び前記竪配管区画は、前記配管ピットの方向に直列又は並列に配置されることを特徴とする請求項４に記載の配管ピット構造。
【請求項６】
前記配管ピットは、複数の住戸から延び、隔壁によって仕切られた複数の収納庫が、前記配管ピットの方向に直列又は並列に配置されることを特徴とする請求項４又は５に記載の収納庫構造。
【発明の詳細な説明】
【技術分野】
【０００１】
本発明は、集合住宅の収納庫構造及び配管ピット構造に関するものであり、より詳細には、竪配管更新工事に伴う各住戸の建築設備の使用制限期間を短縮するとともに、竪配管更新のために使用される将来的利用スペースを有効利用し、建築物の利用効率を向上することができる集合住宅の収納庫構造及び配管ピット構造に関するものである。
【背景技術】
【０００２】
一般に、中高層の分譲式集合住宅における排水配管等の建築設備配管では、各住戸の専用配管は、各階の床を貫通する共用の竪配管に接続される。竪配管の設置方式として、竪配管を各住戸のエリア内に配置する方式と、竪配管を共用部の配管スペース又は設備スペースに配置する方式とが知られている。
【０００３】
竪配管を各住戸のエリア内に配置する方式では、横引配管は各住戸の専有使用部分に配置され、各住戸は竪配管のみを共有するにすぎず、従って、この方式は、所有区分を明確化するとともに、配管設置スペース及び配管設備設置の合理化を図る上で有利である。しかしながら、建築物の躯体の寿命に比べて建築設備配管の寿命は短く、殊に、排水配管の寿命は約１５年程度にすぎない。このため、建築物を良好な状態に維持管理するには、定期的な配管の改修や交換、即ち、配管の更新が必要となる。このような配管更新時には、専有部分に配置された共用配管（既存竪管）を撤去し、新たな共用配管を施工しなければならず、このため、各住戸の入居者は、配管更新作業の期間、比較的長期に亘って住戸を退去する必要が生じ、配管更新工事のために過度な負担が居住者に課せられる。
【０００４】
他方、竪配管を共用部の配管スペース等に配置する方式は、配管の維持管理や更新等の作業を容易にし、居住者に課せられる負担も軽減するので、近年の高層集合住宅において積極的に採用される傾向がある。しかし、このような方式においても、既存配管の撤去から新設配管の設置に至る配管更新工事の期間、居住者は、建築設備の使用を制限される。
【０００５】
このような配管更新工事の工期を短縮すべく、新設配管を配置すべきスペースを共用部に予め確保し、効率的に配管更新工事を完了するようにした配管取替方式が知られている（特開平１０−３０６４７２号公報）。この配管取替方式は、排水竪配管の近傍に新設竪配管用スペース及び床貫通孔を予め用意し、撤去可能な耐火材を床貫通孔に充填し、配管更新時に耐火材を撤去して新設竪配管を施工する構成のものである。このような配管取替方式によれば、新設竪配管に横引配管を接続する期間内だけ建築設備の使用を制限することにより、配管更新工事を完了することができるので、配管更新工事に伴う建築設備の使用制限期間を短縮し得るかもしれない。  
【特許文献１】特開平１０−３０６４７２号公報
【発明の開示】
【発明が解決しようとする課題】
【０００６】
しかしながら、新設竪配管用スペースは、１０年以上の長期間に亘って本来の用途に使用し得ない状態を維持しなければならず、このような将来的利用スペースを常時確保することは、建築物の利用効率を低下させる。また、このようなスペースを何らかの用途に仮使用し得たとしても、撤去可能な耐火材で閉塞した貫通孔が床に設けられるので、このスペースを所望の如く使用し難い事情がある。
【０００７】
本発明は、このような事情に鑑みてなされたものであり、その目的とするところは、  竪配管更新工事に伴う各住戸の建築設備の使用制限期間を短縮するとともに、竪配管更新のために使用される将来的利用スペースを有効利用し、建築物の利用効率を向上することができる集合住宅の収納庫構造及び配管ピット構造を提供することにある。
【課題を解決するための手段】
【０００８】
本発明は、上記目的を達成すべく、床下隠蔽型の配管ピットを備えた集合住宅の住戸近傍に収納スペースを形成する収納庫構造において、
前記収納スペースを区画するとともに、集合住宅の共用部に少なくとも部分的に面するように配置された壁体と、前記収納スペースの床を形成する取外し可能又は撤去可能な床構造体とを有し、前記収納スペースは、建築設備配管の共用竪管を配管した竪配管区画に隣接して配置され、前記床構造体の下側領域は、前記配管ピットの延設部分又は横断部分を構成し、各階の前記収納スペースは、実質的に同一の平面位置に配置され、
前記床構造体を取外し又は撤去することにより、前記共用竪管を新設可能な竪配管区画が前記収納スペースによって形成されるとともに、既存の共用竪管に接続した排水横引管を新設の共用竪管に対して接続するための空間が前記床構造体の下側領域によって形成されるようにしたことを特徴とする集合住宅の収納庫構造を提供する。
【０００９】
本発明の上記構成によれば、収納スペースは、各階において実質的に同じ平面位置に配置され、しかも、取外し可能又は撤去可能な床構造体によって隠蔽した床下配管ピットを有するので、床構造体の取外し又は撤去によって収納スペースの位置に竪配管区画を新設することができる。新設した竪配管区画には、配管更新時に共用竪管が新設される。共用竪管を新設する間、既存の共用竪管は、従前のとおり使用を継続することができる。配管ピットは、既存の竪配管区画に連続するので、共用竪管の新設後に排水横引管を既存の共用竪管から分離し、新設の共用竪管に接続し直すことができる。新設の共用竪管に対する排水横引管の接続作業は、床構造体の取外し又は撤去によって新設竪配管区画の下部に形成された配管接続スペース（配管ピット部分）において実施することができる。各住戸の居住者は、排水横引管を既存の共用竪管から分離して新設の共用竪管に接続し直す時間だけ、建築設備の使用を制限されるにすぎない。既存の共用竪管の撤去は、排水横引管を新設の共用竪管に接続した後に行われる。既存の共用竪管を撤去した後、上記床構造体を既存の竪配管区画に設置し、収納スペースを新たに形成することができる。居住者は、収納スペースの位置が僅かに移動したことを意識するにすぎない。
【００１０】
新設の共用竪管が老朽化し、竪管交換の時期が再び到来したときには、床構造体を取外し又は撤去して当初の竪配管区画を復旧し、この竪配管区画に共用竪管を新設して、排水横引管を新設の共用竪管に接続し直した後、老朽化した共用竪管を撤去して床構造体を形成し、当初の収納スペースを復旧すれば良い。このような竪管交換時にも又、各住戸の居住者は、排水横引管を既存の共用竪管から分離して新設の共用竪管に接続し直す時間だけ、建築設備の使用を制限されるにすぎない。また、居住者は、既存の収納スペースの位置が僅かに移動したことを意識するにすぎない。かくして、本発明によれば、竪配管更新の回数にかかわらず、竪配管更新工事に伴う各住戸の建築設備の使用制限期間を短縮するとともに、将来的利用スペースの確保に伴う建築物の利用効率の低下を回避することができる。
【００１１】
本発明は又、各住戸の建築設備機器の排水口に接続された建築設備配管の排水横引管を収容する配管ピットを形成するとともに、前記横引管を接続すべき共用竪管を配管した竪配管区画に連続する集合住宅の床下隠蔽型配管ピット構造において、
各住戸の近傍に配置された収納庫が、各階において実質的に同一の平面位置に配置され、
前記配管ピットは、前記収納庫の下側に延設され又は該収納庫の下側を横断し、前記収納庫は、前記配管ピットを該収納庫内の空間から隠蔽する取外し可能又は撤去可能な床構造体を有し、
共用竪管を新設可能な竪配管区画が、前記床構造体の取外し又は撤去により、前記収納庫によって形成され、既存の竪配管に接続された横引配管を新設の共用竪管に対して接続するための空間が、前記床構造体の下側の配管ピット部分によって形成されることを特徴とする集合住宅の配管ピット構造を提供する。
【００１２】
なお、取外し可能な上記床構造体として、例えば、配管ピットの上部に鉄骨根太を取外し可能に架設し、鉄骨骨組上に床用鋼板等の床板を敷設してなる床構造体、或いは、支持脚及び床パネルから構成されるフリーアクセスフロア形式の床構造体を例示し得る。また、撤去可能な上記床構造体として、樹脂発泡体又は砂等を介して床版上に剛性床パネル（現場打ち軽量コンクリート板、ＰＣａ（プレキャストコンクリート）板、鋼鈑、鋼材組立体等）を支持した構成を有する床構造体を例示し得る。
【発明の効果】
【００１３】
本発明の収納庫構造又は配管ピット構造によれば、竪配管更新工事に伴う各住戸の建築設備の使用制限期間を短縮するとともに、竪配管更新のために使用される将来的利用スペースを有効利用し、建築物の利用効率を向上することができる。
【発明を実施するための最良の形態】
【００１４】
本発明の好適な実施形態において、竪配管区画及び収納スペースは、住戸の共用廊下側の外壁を部分的に住戸側に変形してなるアルコープ部分に配置され、配管ピットは、このアルコープにおいて住戸の外壁から共用廊下に向かって延び、収納庫及び竪配管区画は、配管ピットの方向に直列又は並列に配置される。
【００１５】
好ましくは、配管ピットは、複数の住戸から竪配管区画に延び、隔壁によって仕切られた複数の収納スペースが、配管ピットの方向に直列又は並列に配置される。
【００１６】
所望により、生活排水系及びディスポーザ排水系等の複数の系統の竪配管が竪配管区画に配管される。
【００１７】
好ましくは、上記配管ピット内には、集合管が配置される。集合管には、各建築設備機器の排水口に接続された複数の排水管が接続される。
【実施例１】
【００１８】
以下、添付図面を参照して、本発明の好適な実施例について詳細に説明する。
【００１９】
図１、図２及び図３は、本発明の配管システムを概略的に示す中高層集合住宅の部分平面図及び部分断面図である。
【００２０】
図１には、一対の住戸１２（１２ａ、１２ｂ）の排水系を構成する排水竪管１と、各住戸１２の給水系を構成する給水竪管２とが示されている。排水竪管１及び及び給水竪管２は、中高層集合住宅の共用部分に配置されたユティリティ・スペース１０、２０に夫々配置される。各住戸１２ａ、１２ｂは、２系統の排水系として、生活排水系及びディスポーザー排水系を有し、生活排水用の横引排水管３ａが、排水竪管１ａに接続され、ディスポーザ用の横引排水管３ｂが、排水竪管１ｂに接続される。
【００２１】
排水管３（３ａ、３ｂ）及び給水管４（４ａ、４ｂ）の上流端は、住戸１２ａ、１２ｂ内に配置された流し台、便器、衛生陶器等の建築設備機器（図示せず）や、ディスポーザ（図示せず）に接続される。排水管３は、床レベルＦＬの下側に形成された床下配管ピット５に配管される。排水管３には、建築設備機器から排水竪管１の間の配管横引経路において所定の排水勾配が付けられる。配管ピット５は、排水管３の排水勾配を確保し得る十分な深さ（高さ）を有する。配管ピット５は、住戸１２ａ、１２ｂの戸外に延び、住戸１２ａ、１２ｂに隣接したユティリティ・スペース１０に連続する。
【００２２】
共用廊下６の外側に配置されたユティリティ・スペース２０には、給水竪管２が配管される。給水竪管２には、横引給水管４が接続され、横引給水管４は、各住戸１２ａ、１２ｂの住戸内給水管４ａ、４ｂに分岐する。配管経路の設計自由度が高く、しかも、管径が比較的小径な給水管４ａ、４ｂは、共用廊下６の天井裏領域８を介して住戸１２ａ、１２ｂの天井裏領域９に配管される。
【００２３】
図１（Ａ）には、ユティリティ・スペース１０、２０の平面レイアウトが示されている。ユティリティ・スペース１０は、戸境壁１３によって区画された二つの隣接住戸１２ａ、１２ｂに共通する単一の竪配管区画を有する。ユティリティ・スペース１０は、住戸１２ａ、１２ｂに隣接して配置され、４つの開口部及び扉１４が、ユティリティ・スペース１０を囲む壁体１５に配置される。ユティリティ・スペース１０内の領域は、戸境壁１３と直交する方向に延びる区画壁１７ａによって二分割される。一方の区画（図１において住戸１２ａ、１２ｂから離間した側の区画）は、配管スペース１１を構成し、他方の区画（図１において住戸１２ａ、１２ｂに近接した側の区画）は、隔壁１７ｂによって更に二分割され、一対のトランクルーム１６が隔壁１７ｂの両側に形成される。トランクルーム１６は、収納スペースを構成する。２つの扉１４は、配管スペース１１に対称に配置され、点検扉として機能し、２つの扉１４は、各トランクルーム１６に夫々配置され、トランクルーム１６内の物品又は備品の出し入れに使用される。排水竪管１は、配管スペース１１内に配置され、住戸１２ａ、１２ｂの各排水管３及び配管ピット５は、ユティリティ・スペース１０に対して対称に配置される。
【００２４】
図１（Ｂ）に示す如く、各トランクルーム１６は、二重床構造体１８を有し、配管ピット５は、二重床構造体１８の床下領域を横断して配管スペース１１に延びる。配管ピット５内に配管された排水管３（３ａ、３ｂ）は、排水竪管１（１ａ、１ｂ）に接続される。排水竪管１は、配管ピット５の床１９を貫通し、垂直に階下に延びる。
【００２５】
排水竪管１は、長年の使用を経て老朽化することから、所定の時期に交換する必要が生じる。図２には、排水竪管１の交換時の状態が過渡的に示されている。
【００２６】
先ず、トランクルーム１６の隔壁１７ｂ及び二重床構造体１８を取外し又は撤去し、新設の配管スペース１１’を形成する。次いで、新設の排水竪管１ａ’、１ｂ’を新設配管スペース１１’に配管する。新設の排水竪管１ａ’、１ｂ’の施工が完了するまで、排水管３ａ、３ｂと既存の排水竪管１ａ、１ｂとの接続状態が維持されるので、住戸１２ａ、１２ｂの居住者は、建築設備を使用し続けることができる。なお、鉄筋コンクリートスラブ等からなる配管ピット５の床版１９には、耐火材を充填した床版貫通孔３０（図１）が予め配設されており、耐火材の撤去により、排水竪管１ａ’、１ｂ’を垂直に挿通可能な貫通孔が床版１９に形成される。
【００２７】
排水竪管１ａ’、１ｂ’の施工が完了した後、建築設備の使用を一時的に制限し、排水管３ａ、３ｂを既設の排水竪管１ａ、１ｂから分離して新設の排水竪管１ａ’、１ｂ’に再接続し、建築設備の使用再開を可能にする。従って、住戸１２ａ、１２ｂの居住者は、排水管３の分離・再接続の作業の時間のみ住戸内建築設備の使用を制限されるにすぎない。
【００２８】
次いで、既存の排水竪管１ａ、１ｂを撤去し、図３に示す如く、既存の配管スペース１１に隔壁１７ｂ’及び二重床構造体１８’を施工し、２つのトランクルーム１６’を新設する。なお、既存の排水竪管１ａ、１ｂを撤去した後に床版１９に残留する床版貫通孔３０には、耐火材が充填される。
【００２９】
既存の配管スペース１１の点検扉として使用されていた扉１４は、排水竪管更新後は、新設トランクルーム１６’内の物品又は備品の出し入れに使用され、既存のトランクルーム１６の扉１４は、新設配管スペース１１’の点検扉として使用される。結果的に、居住者は、既存のトランクルーム１６が僅かに位置を移動したことを意識するにすぎない。また、配管更新前と同等のトランクルーム１６の空間が新設のトランクルーム１６’として確保されるので、居住者の生活にとって格別の支障又は不便・不都合は生じない。
【００３０】
その後、排水竪管１’の老朽化によって竪管交換の時期が再び到来したときには、これと同様の施工順序、即ち、隔壁１７ｂ’及び二重床構造体１８’の取外し又は撤去、排水竪管１ａ、１ｂの新設、排水管３の分離・再接続、排水竪管１ａ’、１ｂ’の撤去、床版貫通孔３０の閉塞、区画壁１７ａ及び二重床構造体１８の施工を順次行い、これにより、排水竪管更新の作業とトランクルーム１６の新設（復旧）作業とが完了する。
【００３１】
図４〜図８は、配管スペース１１、トランクルーム１６及び配管ピット５の各種位置関係を概略的に示す平面図である。図４〜図８の各図において、排水竪管更新前の状態がＡ図に示され、排水竪管更新過程の状態がＢ図に示され、排水竪管更新後の状態がＣ図に示されている。
【００３２】
図４に示す例では、配管スペース１１及びトランクルーム１６は、図４（Ａ）に示す如く区画壁１７ａの壁芯に対して対称に配置され、実質的に同じ配管スペース１１’及びトランクルーム１６’が、排水竪管更新後に図４（Ｃ）に示す如く形成される。配管ピット５は、区画壁１７ａを横断する方向に延び、ユティリティ・スペース１０の下部空間全域に形成される。配管スペース１１及びトランクルーム１６は、配管ピット５の方向に直列に配置され、トランクルーム１６同士は、配管ピット５の方向に対して並列に配置される。なお、本例では、区画壁１７ａは、床レベルＦＬの上側に形成されるが、配管ピット５の床版１９上に建込んでも良い。所望により、排水管３の経路に配管貫通用開口部３１（図４（Ａ）に仮想線で示す）が形成される。
【００３３】
図４（Ｂ）に示す如く、横引排水管３は、隔壁１７ｂ及び二重床構造体１８の取外し又は撤去の後に新設の配管スペース１１’に露出する。配管スペース１１’の床版貫通孔３０から耐火材を撤去して排水竪管１’を配管スペース１１’内に新設した後、既設の排水竪管１と排水管３との接続部を分解し、排水管３を新設の排水竪管１’に接続する。これにより、排水管３及び排水竪管１’からなる排水系が形成される。所望により、排水管３と排水竪管１、１’とは、容易に分解・組立可能なフランジ継手等の継手３２、３２’によって接続される。配管ピット５内における排水管経路変更の作業を容易にすべく、簡易に分解・組立可能なフランジ継手等の継手３３を排水管３の直線部分に配設しても良い。
【００３４】
排水管３を排水竪管１’に接続した後、既存の排水竪管１を配管スペース１１から撤去し、配管スペース１１の床版貫通孔３０に耐火材を充填し、二重床構造体１８’及び隔壁１７ｂ’を配管スペース１１に施工し、これにより、配管スペース１１内の空間は、図４（Ｃ）に示す２つの室、即ち、一対のトランクルーム１６’に分割される。
【００３５】
図５には、配管スペース１１及びトランクルーム１６の他のレイアウトが示されている。
【００３６】
図５（Ａ）に示す如く、配管ピット５は、区画壁１７ａと平行に延び、ユティリティ・スペース１０の下部空間全域に延在する。配管スペース１１及びトランクルーム１６は、配管ピット５の方向に並列に配置され、トランクルーム１６同士は、配管ピット５の方向に直列に配置される。隔壁１７ｂ及び二重床構造体１８が取外され又は撤去され、排水竪管１’が図５（Ｂ）に示す如く新設され、横引排水管３の経路変更及び接続変更が実施される。次いで、図５（Ｃ）に示すように、排水竪管１が撤去され、二重床構造体１８’及び隔壁１７ｂ’が施工される。なお、図５に示す例では、比較的容易に分解・組立可能な一対の継手３４が、排水管３ａ、３ｂに夫々配設される。従って、排水竪管１は、継手３４の解体後に配管つなぎ込み部分３５とともに撤去され、排水竪管１’ の配管つなぎ込み部分３５’が、継手３４によって排水管３ａ、３ｂに夫々接続される。
【００３７】
図６には、配管スペース１１及びトランクルーム１６の更に他のレイアウトが示されている。
【００３８】
図４及び図５に示すレイアウトにおいては、横引排水管３は、ユティリティ・スペース１０の片側からユティリティ・スペース１０内に延びるが、排水管３は、図６（Ａ）に示す如く、ユティリティ・スペース１０の両側からユティリティ・スペース１０内に延びるように配置しても良い。また、図６（Ａ）に示すように、ユティリティ・スペース１０内のみに配管ピット５を形成し、ユティリティ・スペース１０外の領域においては、排水管３を共用部又は専有部の床に埋設配管することも可能である。
【００３９】
図６（Ｂ）に示す如く、隔壁１７ｂ及び二重床構造体１８が取外され又は撤去され、配管スペース１１’が新設される。排水竪管１’が配管スペース１１’に新設され、横引排水管３の経路変更及び接続変更が実施される。次いで、図６（Ｃ）に示すように、既存の排水竪管１が撤去され、二重床構造体１８’及び隔壁１７ｂ’が新設される。図６に示す例においても又、比較的容易に分解・組立可能な一対の継手３６が、排水管３ａ、３ｂに夫々配設される。従って、新設の配管スペース１１’に排水竪管１’を施工した後、排水竪管１を配管つなぎ込み部分３７とともに撤去し、排水竪管１’の配管つなぎ込み部分３７’を継手３６によって排水管３ａ、３ｂに夫々接続することにより、排水管３ａ、３ｂ及び排水竪管１ａ’、１ｂ’からなる排水系を形成することができる。
【００４０】
図７には、排水竪管更新時に隔壁１７ｂの取外し又は撤去を要しない配管スペース１１及びトランクルーム１６のレイアウトが示されている。
【００４１】
図７に示すレイアウトにおいては、ユティリティ・スペース１０は、一対の配管スペース１１と一対のトランクルーム１６とを備え、各トランクルーム１６は、図７（Ａ）に示すように、その扉１４がユティリティ・スペース１０の反対側に面するように配置される。図７（Ｂ）に示すように、二重床構造体１８が取外され又は撤去され、排水竪管１ａ’、１ｂ’が新設の配管スペース１１’に夫々配管され、横引排水管３の経路変更及び接続変更が実施される。図７（Ｃ）に示すように、排水竪管１ａ、１ｂが撤去され、二重床構造体１８’が施工される。図７に示す例では、このように配管スペース１１、１１’を隔壁１７ｂによって分割し、同一床面積の各トランクルーム１６、１６’と交換可能に構成したことから、区画壁１７ａ、１７ｂを恒久的な壁体として構築することができる。
【００４２】
図８〜図１２には、本発明を適用した中高層分譲式集合住宅の構成が例示されている。図８及び図９は、集合住宅の部分平面図及び部分断面図であり、図１０は、給水竪管用ユティリティ・スペースの拡大平面図であり、図１１は、排水竪管用ユティリティ・スペースの拡大平面図及び拡大断面図である。また、図１２は、排水竪管更新方法を概略的に示す排水竪管用ユティリティ・スペースの概略平面図である。
【００４３】
図８に示す如く、一対の住戸１２ａ、１２ｂが、戸境壁１３によって区分される。住戸１２ａ、１２ｂは、戸境壁１３の壁芯に対して対称のレイアウトを有し、各住戸１２ａ、１２ｂの間仕切壁及び設備機器は、実質的に同一の機能及び構造を有する。各住戸１２ａ、１２ｂには、流し台、洗面器、便器、洗濯機パン等の設備機器が適所に配置される。生活排水用の排水管５０が、生活排水系の設備機器の排水口５１に接続される。排水管５０は、大口径排水ヘッダー５２に接続される。ヘッダー５２は、横引排水管３ａの上流端に接続され、横引排水管３ａの下流端は、配管スペース１１内の排水竪管１ａに接続される。ディスポーザ用の排水管５５が流し台のディスポーザ５４に接続される。排水管５５は、配管ピット５の直上まで床上に配管され、配管スペース１１内に延入して横引排水管３ｂに接続される。
【００４４】
図９に示す如く、集合住宅の鉄筋コンクリート床スラブ５７の一部を床レベルＦＬから所定寸法Ｈ（例えば、３００mm）だけ下方に配置することによって二重床部分が形成される。二重床部分の床スラブ５７には、床仕上げ材５６を支持する床組構造体（図示せず）が施工される。床仕上げ材５６と床スラブ５７との間の空間は、配管ピット５を構成し、床スラブ５７は、配管ピット５の床版１９を構成する。図８には、配管ピット５を設けた領域が仮想線で表示されており、配管ピット５は、住戸１２ａ、１２ｂの概ね半部に形成される。共用廊下６の外壁を住戸１２側に部分的に後退してなるアルコープ部分６０が、各住戸１２ａ、１２ｂの玄関扉６１の外側に形成され、ユティリティ・スペース１０は、一対の玄関扉６１の間に配置される。
【００４５】
図９に示すように、配管ピット５は、ユティリティ・スペース１０に延び、配管スペース１１及びストックルーム１６の下側に延在する。生活排水系の排水は、配管ピット５内に配置された所定排水勾配の排水管５０、ヘッダー５２及び横引排水管３ａを介して重力下に排水竪管１ａに流入する。ディスポーザー排水系の排水は、所定排水勾配の排水管５５及び横引排水管３ｂを介して重力下に排水竪管１ｂに流入する。排水竪管１ａ、１ｂは、共用部の排水処理設備に接続され、所定の排水処理工程を経た後、公共下水道等に排出される。なお、排水管３ａ、３ｂ、５０、５５の管材として、例えば、樹脂管を採用し、排水竪管１ａ、１ｂの管材として、例えば、鋳鉄管、ビニルライニング鋼管等を採用し得る。また、ヘッダー５２として、本出願人の特許出願に係る特開２００１−３０３６３７号公報又は特開２００３−７４１０１号公報に開示された排水ヘッダーを好適に使用し得る。このようなヘッダー５２の使用により、複数の建築設備機器の生活排水をヘッダー５２において合流させ、これにより、横引排水管３ａの本数、或いは、排水竪管１ａに対する横引排水管３ａの接続個所数を低減することができる。また、このようなヘッダー５２の使用は、排水経路の排水勾配を確保する上でも有利である。
【００４６】
図９に示す如く、ユティリティ・スペース２０の給水竪管２から延びる給水管４が分岐管４ａ、４ｂに分岐し、分岐管４ａ、４ｂは、共用廊下６の天井裏領域８を介して住戸１２ａ、１２ｂの天井裏領域９に延びる。分岐管４ａ、４ｂは、天井裏領域９に配管され、各設備機器の近傍において分岐し、各設備機器に接続される。上階床スラブ５５に懸吊した天井構造体９０には、換気扇等の換気設備や、冷暖房設備機器等の設備機器９１が配設され、換気ダクト及び熱媒体配管等が天井裏領域９に配管される。
【００４７】
図１０には、ユティリティ・スペース２０の構成が示されている。ユティリティ・スペース２０には、ガス配管、消火設備配管、電気配線等の共用設備が配置され、これらの分岐配管又は配線が、天井裏領域８を介して住戸１２ａ、１２ｂの天井裏領域９に延び、住戸１２ａ、１２ｂ内の設備機器に接続される。
【００４８】
ユティリティ・スペース２０の壁体２１は、共用廊下６の手摺部分６５に沿って配置され、ユティリティ・スペース２０内の領域は、間仕切壁２２によって電気配線スペース２３と配管スペース２４とに区画される。電気配線スペース２３には、電気幹線の配線ダクト２５、分岐設備（図示せず）、電力積算計２９等が配置され、配管スペース２４内には、給水竪管２と、ガス配管及び消火設備配管等の主管２６とが配置される。各住戸１２ａ、１２ｂの電気配線（図示せず）は、電力積算計２９から天井裏領域８を通して各住戸１２ａ、１２ｂに配線される。給水竪管２及び主管２６は、分岐・制御部２７を介して分岐し、給水管４及び分岐管２８として天井裏領域８から各住戸１２ａ、１２ｂに配管される。
【００４９】
図１１は、ユティリティ・スペース１０の構造詳細を示す横断面図、Ｉ−Ｉ線断面図及びII−II線断面図である。
【００５０】
図１１（Ａ）に示すように、ユティリティ・スペース１０は、鉄筋コンクリート構造又は鉄骨鉄筋コンクリート構造の柱１５ｂと、玄関扉６１の間の壁体１５ｃと、柱１５ｂ及び壁体１５ｃの間に配置された壁体１５ａとによって囲まれており、柱１５ｂ及び壁体１５ａ、１５ｃは、ユティリティ・スペース１０を囲む壁体１５（図１）を構成する。柱１５ｂ及び壁体１５ａ、１５ｃによって囲まれた竪管区画内領域は、壁体１５ｃと平行に延びる区画壁１７ａによって均等に分割される。区画壁１７ａの片側の空間は、配管スペース１１を構成する。区画壁１７ａの反対側の空間は、隔壁１７ｂによって更に分割され、一対のトランクルーム１６が形成される。左右の壁体１５ａには、扉１４を備えた一対の開口部が夫々形成される。
【００５１】
図１１（Ｂ）に示すように、床版貫通孔３０が配管ピット５の床版１９に形成される。上下階の排水竪管１（１ａ、１ｂ）は、排水集合管８０によって連結される。排水集合管８０は、床版貫通孔３０を貫通する。床版貫通孔３０の内周面と排水集合管８０との間の間隙には、耐火材３８が充填される。排水集合管８０は、排水管３ａ、３ｂを接続可能な左右の分岐管部分８１を備える。排水集合管８０は、上階の排水竪管１から流下する排水流を偏流させ、分岐管部分８１を介して流入した排水と混合するとともに、混合流を旋回流として下階の排水竪管１に流下させる偏流板及び曲面旋回羽根等を内蔵しており、上階から流下する排水流による管内空気圧の変動を抑制し、排水竪管１の排水能力を向上する。
【００５２】
図１１（Ｃ）に示すように、各トランクルーム１６には、簡易に取外し可能な二重床構造体１８が形成される。二重床構造体１８は、例えば、左右の壁体１５ａの間に架設した横架材１８ａ（破線で示す）と、横架材１８ａ上に敷設した床材１８ｂとから構成され、比較的容易に解体・移設等を行うことができる。二重床構造体１８は、アルコープ部分６０の床６３と同等のレベルに配置され、各住戸の居住者は、各トランクルーム１６をアルコープ部分６０から使用することができる。各トランクルーム１６の下方の床版１９には、配管更新用の床版貫通孔３０が形成される。床版１９の水平耐火区画を成立させるために、耐火材３８が床版貫通孔３０に充填される。
【００５３】
図１２（Ａ）には、排水竪管更新前の状態が示され、図１２（Ｂ）には、排水配管更新後の状態が示されている。前述の如く、排水竪管更新の作業は、隔壁１７ｂ及び二重床構造体１８の取外し、排水竪管１ａ’、１ｂ’の新設、排水竪管１ａ’、１ｂ’に対する排水管３ａ、３ｂの接続、排水竪管１ａ、１ｂの撤去、隔壁１７ｂ’及び二重床構造体１８’の移設又は新設の順に実施される。
【００５４】
図１３及び図１４は、配管ピット５を形成する床構造体１８及び床６３の変形例を示す縦断面図である。図１３及び図１４において、図１１に示すユティリティ・スペース１０の構成要素又は構成部材と実質的に同一又は同等の構成要素又は構成部材については、同一の参照符号が付されている。
【００５５】
図１３に示す配管ピット５においては、床構造体１８及び床６３を構成する床パネル１８ｄ、６３ａが硬質ウレタンフォーム等の樹脂発泡体１８ｃ、６３ｃを介して床版１９に支持される。図１３（Ｂ）に示すように、樹脂発泡体１８ｃ、６３ｃは床版１９上に敷設され、軽量コンクリートが樹脂発泡体１８ｃ、６３ｃ上に打設される。床パネル１８ｄ、６３ａは、樹脂発泡体６３ｃ上に打設された軽量コンクリートの硬化体からなる。
【００５６】
図１３（Ｄ）は図１３（Ａ）のIII−III線における断面図である。図１３（Ａ）及び図１３（Ｄ）に示すように、樹脂発泡体１８ｃは配管スペース１１に配置されず、樹脂発泡体６３ｃは排水管３ａ、３ｂの配管経路に配置されず、従って、排水管３ａ、３ｂを配管可能な連続的空間が床下レベルに形成される。床パネル６３ａ上には、床仕上げ材６３ｂによる床仕上げが施される。所望により、床パネル１８ｄの上面に塗り床材等の床仕上げ材を施工しても良く、また、配管ピット５と関連する床版１９の全域及び切付部に防水処理を施しても良い。
【００５７】
図１３（Ｃ）に示す如く、区画壁１７ａは、ＰＣａ（プレキャストコンクリート）、構造用鋼管又はコンクリート充填鋼管等の横架材１８ｆに支持される。ＰＣａ部材等のブロック１８ｅが横架材１８ｆの下側に取外し可能に配置され、ブロック１８ｅはトランクルーム１６の床下の配管ピット５を配管スペース１１から分離する。
【００５８】
床パネル１８ｄ及び樹脂発泡体１８ｃは、排水竪管の交換時に撤去され、配管スペース１１’（図１２（Ｂ））が形成される。床パネル１８ｄの下側に配置された床版貫通孔３０から耐火材３８が撤去され、排水竪管１ａ’、１ｂ’（図１２（Ｂ））が配管スペース１１’内に新設される。既設の排水竪管１ａ、１ｂと排水管３ａ、３ｂとの接続部は分解され、排水管３ａ、３ｂは新設の排水竪管１ａ’、１ｂ’に接続される。排水竪管１ａ、１ｂは撤去され、隔壁１７ｂ及び床構造体１８と同様な隔壁１７ｂ’及び床構造体１８’ （図１２（Ｂ））が既存の配管スペース１１に施工される。他の手段として、隔壁１７ｂ及び床構造体１８を配管スペース１１に移設することにより、隔壁１７ｂ’及び床構造体１８’を施工しても良い。
【００５９】
他方、図１４に示す配管ピット５では、床構造体１８及び床６３を構成するＰＣａパネル１８ｈ、６３ｈが砂層１８ｇ、６３ｄを介して床版１９に支持される。図１４（Ｄ）は図１４（Ａ）のIV−IV線における断面図である。図１４（Ａ）及び図１４（Ｄ）に示すように、ＰＣａパネル６３ｈは、排水管３ａ、３ｂの直上部分に配設されず、排水管３ａ、３ｂの両側に配置されたＰＣａパネル６３ｈを架橋するように鋼板６３ｅが配置される。従って、十分な高さ寸法Ｓを有する配管３ａ、３ｂの横引経路が排水管３ａ、３ｂの経路に沿って確保される。ＰＣａパネル６３ｈ及び鋼板６３ｅの上面には、床仕上げが施される。例えば、床用磁気質タイル６３ｇがバサモル（空練りのモルタル）６３ｆを介してＰＣａパネル６３ｈ及び鋼板６３ｅの上面に接着される。所望により、ＰＣａパネル１８ｈの上面に塗り床材等の床仕上げ材を施工しても良く、また、配管ピット５と関連する床版１９の全域及び切付部に防水処理を施しても良い。
【００６０】
ＰＣａパネル１８ｈ及び砂層１８ｇは、排水竪管の交換時に撤去され、配管スペース１１’（図１２（Ｂ））が形成される。床パネル１８ｈの下側に配置された床版貫通孔３０から耐火材３８が撤去され、排水竪管１ａ’、１ｂ’（図１２（Ｂ））が配管スペース１１’内に新設される。既設の排水竪管１ａ、１ｂと排水管３ａ、３ｂとの接続部は分解され、排水管３ａ、３ｂは新設の排水竪管１ａ’、１ｂ’に接続される。排水竪管１ａ、１ｂは撤去され、隔壁１７ｂ及び床構造体１８と同様な隔壁１７ｂ’及び床構造体１８’ （図１２（Ｂ））が既存の配管スペース１１に施工される。他の手段として、隔壁１７ｂ、ＰＣａパネル１８ｈ及び砂層１８ｇを配管スペース１１に移設することにより、隔壁１７ｂ’及び床構造体１８’を施工しても良い。
【００６１】
図１３及び図１４に示す床構造体１８は、図１１に示す床構造体と同様、簡易に撤去可能な二重床構造体を構成する。図１３及び図１４に示す床構造体１８及び床６３は、床下中空領域（配管ピット５）に樹脂発泡体１８ｃ、６３ｃ又は砂層１８ｇ、６３ｄを充填した構造を有するので、上下階の騒音伝達を防止し、或いは、安定した歩行感を得る上で有利である。
【００６２】
以上、本発明の好適な実施例について詳細に説明したが、本発明は上記実施例に限定されるものではなく、特許請求の範囲に記載された本発明の範囲内で種々の変形又は変更が可能であり、このような変形例又は変更例も又、本発明の範囲内に含まれるものであることは、いうまでもない。
【００６３】
例えば、上記実施例では、排水竪管新設用の床版貫通孔を予め床版に形成し、撤去可能な耐火材を床版貫通孔内に充填する方式を採用しているが、床版貫通孔を鋼鈑等の鋼材で閉鎖し、或いは、配管更新時に床版に穿孔して床版貫通孔を新設しても良い。
【産業上の利用可能性】
【００６４】
本発明は、共用竪管を共用部の竪配管区画に配管する方式を採用した中高層集合住宅に好ましく適用される。本発明によれば、竪配管更新工事に伴う各住戸の建築設備の使用制限期間を短縮するとともに、竪配管更新のために使用される将来的利用スペースを有効利用し、建築物の利用効率を向上することができる。
【図面の簡単な説明】
【００６５】
【図１】本発明の収納庫構造及び配管ピット構造を概略的に示す中高層集合住宅の部分平面図及び部分断面図であり、排水竪管更新前の状態が示されている。
【図２】本発明の収納庫構造及び配管ピット構造を概略的に示す中高層集合住宅の部分平面図及び部分断面図であり、排水竪管更新過程が示されている。
【図３】本発明の収納庫構造及び配管ピット構造を概略的に示す中高層集合住宅の部分平面図及び部分断面図であり、排水竪管更新後の状態が示されている。
【図４】配管スペース、トランクルーム及び配管ピットの位置関係を例示する平面図である。
【図５】配管スペース、トランクルーム及び配管ピットの他の位置関係を例示する平面図である。
【図６】配管スペース、トランクルーム及び配管ピットの更に他の位置関係を例示する平面図である。
【図７】配管スペース、トランクルーム及び配管ピットの他の位置関係を例示する平面図である。
【図８】本発明を適用した中高層分譲式集合住宅の部分平面図である。
【図９】本発明を適用した中高層分譲式集合住宅の部分断面図である。
【図１０】給水竪管用ユティリティ・スペースの拡大平面図である。
【図１１】排水竪管用ユティリティ・スペースの拡大平面図及び拡大断面図である。
【図１２】排水竪管更新方法を概略的に示す排水竪管用ユティリティ・スペースの概略平面図である。
【図１３】配管ピットを形成する床構造体の変形例を示す排水竪管用ユティリティ・スペースの縦断面図である。
【図１４】配管ピットを形成する床構造体の他の変形例を示す排水竪管用ユティリティ・スペースの縦断面図である。
【符号の説明】
【００６６】
１：排水竪管
２：給水竪管
３：横引排水管
４：横引給水管
５：床下配管ピット
６：共用廊下
１０：ユティリティ・スペース（排水竪管用）
１１：配管スペース（竪配管区画）
１２：住戸
１３：戸境壁
１４：扉
１５：壁体
１６：トランクルーム（収納スペース）
１７ａ：区画壁
１７ｂ：隔壁
１８：二重床構造体
１９：床版
２０：ユティリティ・スペース（給水竪管用）
３０：床版貫通孔
【図１】
2008008018.tif 000003
【図２】
2008008018.tif 000004
【図３】
2008008018.tif 000005
【図４】
2008008018.tif 000006
【図５】
2008008018.tif 000007
【図６】
2008008018.tif 000008
【図７】
2008008018.tif 000009
【図８】
2008008018.tif 000010
【図９】
2008008018.tif 000011
【図１０】
2008008018.tif 000012
【図１１】
2008008018.tif 000013
【図１２】
2008008018.tif 000014
【図１３】
2008008018.tif 000015
【図１４】
2008008018.tif 000016